(57)【特許請求の範囲】
【請求項１】
第１表示パネルと、
この第１表示パネルを収納する第１収納部が形成された枠状の第１保持部材と、
前記第１表示パネルの下側に配置される第２表示パネルと、
前記第１保持部材の下側に配置され且つ前記第２表示パネルを収納する第２収納部が形成された枠状の第２保持部材と、
この第２保持部材の下側に配置され且つ前記第１、第２表示パネルの各接続端子と電気的に接続される各電極端子が形成された回路基板と、
前記第１、第２表示パネルの各接続端子と前記回路基板の各電極端子とを接続する第１、第２インターコネクタとを備え、
前記第１、第２保持部材の前記第１、第２収納部には、前記第１、第２表示パネルの上面全周に当接する鍔部、および前記第１、第２表示パネルの全周を囲む側壁部が形成され、
前記第２保持部材には、前記第１表示パネルの接続端子と前記回路基板の電極端子とを接続する前記第１インターコネクタが挿通する挿通孔が形成されていることを特徴とする電子機器。
【請求項２】
前記第２保持部材と前記回路基板との間には、前記第２保持部材に対応する外周部分が肉厚に形成され、且つこの肉厚の外周部分に前記第１、第２インターコネクタが挿通する挿通孔が形成されたスペーサ部材が配置されていることを特徴とする請求項１に記載の電子機器。
【請求項３】
前記回路基板の下側にはハウジングが配置され、このハウジングの中央部には電池を収納する電池収納部が下側に開放されて形成されていることを特徴とする請求項２に記載の電子機器。
【発明の詳細な説明】
【０００１】
【発明の属する技術分野】
この発明は、電子腕時計や携帯電話機などの電子機器に関する。
【０００２】
【従来の技術】
例えば、電子腕時計においては、電圧を印加すると光を遮断する液晶の特性を利用し、表示色の異なる液晶表示パネルを上下に２枚重ね合わせ、上下の液晶表示パネルの表示状態を制御して組み合わせることにより、最大３色のカラー表示、例えば青色表示（または緑色表示）の液晶表示パネルと赤色表示の液晶表示パネルとを組み合わせて、青（または緑）、赤、黒の３色のカラー表示が得られるようにしたものが開発されている。
【０００３】
このような電子腕時計では、腕時計ケース内に表示色の異なる２枚の液晶表示パネルを組み込むために、腕時計ケース内にハウジングを収納し、このハウジングに２枚の液晶表示パネルを組み付けている。すなわち、ハウジングは、合成樹脂からなり、その内部に２枚の液晶表示パネルを収納する収納部を上方に開放させて設け、この収納部内に２枚の液晶表示パネルを上方から順次挿入して収納するように構成されている。この場合、収納部の内周面には、下側に配置される１枚の液晶表示パネルの１２時側と６時側とを保持する下側弾性片と、その上側に配置される他の液晶表示パネルの３時側と９時側とを保持する上側弾性片とが一体に形成されている。
【０００４】
このような２枚の液晶表示パネルをハウジングに組み付ける際には、まず、ハウジングの上側弾性片および下側弾性片をそれぞれ弾性変形させ、この状態で下側の液晶表示パネルをハウジングの収納部内に上方から挿入して収納し、この液晶表示パネルの１２時側と６時側の上面部分を下側弾性片で部分的に保持する。この後、ハウジングの上側弾性片を弾性変形させて上側の液晶表示パネルをハウジングの収納部内に上方から挿入して収納し、この液晶表示パネルを下側の液晶表示パネルに重ね合わせた状態で、この上側の液晶表示パネルの３時側と９時側の上面部分を上側弾性片で部分的に保持する。
【０００５】
【発明が解決しようとする課題】
しかしながら、このような電子腕時計では、ハウジングに一体に形成された上側弾性片および下側弾性片を弾性変形させた状態で、２枚の液晶表示パネルを順次ハウジングの収納部内に挿入するため、その挿入作業が面倒であるばかりか、挿入時に各弾性片が各液晶表示パネルによって削られることがあり、その削り屑などの異物が２枚の液晶表示パネルの間に介在され、この介在された異物によって２枚の液晶表示パネルによる表示状態が悪影響を受け、表示不良を起すという問題がある。
【０００６】
また、このような電子腕時計では、２枚の液晶表示パネルがハウジングの内周面における所定個所、つまり１２時側と６時側、および３時側と９時側とにそれぞれ設けられた各弾性片によって部分的に保持されているため、腕時計ケースに衝撃が加わった際、その衝撃によって２枚の液晶表示パネルが位置ずれを起したり撓んだりしやすく、このため２枚の液晶表示パネル同士がぶつかり合って互いに傷が付くという問題がある。
【０００７】
この発明の課題は、２枚の表示パネル間に削り屑などの異物を介在させずに、簡単に２枚の表示パネルを重ね合わせることができ、且つ２枚の表示パネルが互いに傷付かないように確実に保持できるようにすることである。
【０００８】
【課題を解決するための手段】
この発明は、第１表示パネルと、この第１表示パネルを収納する第１収納部が形成された枠状の第１保持部材と、前記第１表示パネルの下側に配置される第２表示パネルと、前記第１保持部材の下側に配置され且つ前記第２表示パネルを収納する第２収納部が形成された枠状の第２保持部材と、この第２保持部材の下側に配置され且つ前記第１、第２表示パネルの各接続端子と電気的に接続される各電極端子が形成された回路基板と、前記第１、第２表示パネルの各接続端子と前記回路基板の各電極端子とを接続する第１、第２インターコネクタとを備え、
前記第１、第２保持部材の前記第１、第２収納部には、前記第１、第２表示パネルの上面全周に当接する鍔部、および前記第１、第２表示パネルの全周を囲む側壁部が形成され、前記第２保持部材には、前記第１表示パネルの接続端子と前記回路基板の電極端子とを接続する前記第１インターコネクタが挿通する挿通孔が形成されていることを特徴とする電子機器である。
【０００９】
この発明によれば、第１保持部材の第１収納部に第１表示パネルを収納し、第２保持部材の第２収納部に第２表示パネルを収納し、この第２保持部材を第１保持部材の下側に配置することにより、第１、第２表示パネルを上下に重ね合わせて配置することができるので、従来例のように、第１、第２表示パネル間に削り屑などの異物を介在させずに、簡単に第１、第２表示パネルを重ね合わせることができる。また、第１、第２保持部材の第１、第２収納部内にそれぞれ収納された第１、第２表示パネルの上面全周が第１、第２収納部の鍔部に当接し、且つ第１、第２表示パネルの全周が第１、第２収納部の側壁部に囲まれた状態で、第１、第２表示パネルが第１、第２保持部材に保持されているので、外部からの衝撃を受けても、第１、第２表示パネルが位置ずれを起したり撓んだりせず、このため第１、第２表示パネル同士がぶつかり合って互いに傷付くことがない。特に、第２保持部材の挿通孔に挿入された第１インターコネクタによって第１表示パネルが保持されるので、これによっても第１、第２表示パネル同士がぶつかり合って互いに傷付かないようにすることができる。
【００１０】
この場合、請求項２に記載のごとく、前記第２保持部材と前記回路基板との間には、前記第２保持部材に対応する外周部分が肉厚に形成され、且つこの肉厚の外周部分に前記第１、第２インターコネクタが挿通する挿通孔が形成されたスペーサ部材が配置されていることにより、第１、第２インターコネクタをスペーサ部材の各挿通孔に挿通させて確実に保持することができ、この第１、第２インターコネクタで第１、第２表示パネルを良好に保持することができ、またスペーサ部材の中央部が外周部分よりも肉厚が薄いため、第２保持部材に保持された第２表示パネルからスペーサ部材の上面を十分に離すことができ、このため衝撃によって第２表示パネルがスペーサ部材に接触せず、第２表示パネルの割れなどの破損を防ぐことができる。
【００１１】
また、請求項３に記載のごとく、前記回路基板の下側にはハウジングが配置され、このハウジングの中央部には電池を収納する電池収納部が下側に開放されて形成されていることにより、ハウジングの中央部の肉厚が薄くても、衝撃による電池のストレスが回路基板の中央部に集中せず、そのストレスをスペーサ部材によって外周側の全周に分散することができ、これにより回路基板への負荷を軽減することができる。
【００１２】
【発明の実施の形態】
以下、図１〜図６を参照して、この発明を電子腕時計に適用した一実施形態について説明する。
図１はこの発明の電子腕時計の拡大断面図、図２はその内部の時計モジュールを拡大した外観斜視図、図３は図２の拡大断面図、図４は図３の分解斜視図である。
この電子腕時計は、図１に示すように、腕時計ケース１を備え、その内部に時計モジュール２が収納された構成になっている。
【００１３】
この場合、腕時計ケース１の上面には時計ガラス（図示せず）が装着され、腕時計ケース１の下面には裏蓋（図示せず）が取り付けられる。また、この腕時計ケース１の１２時側と６時側には時計バンドを取り付けるためのバンド取付部１ａ、１ｂが形成されているほか、腕時計ケース１の６時側には上面スイッチが取り付けられるスイッチ取付孔１ｃが形成されている。
時計モジュール２は、図１〜図４に示すように、上から順に、第１液晶表示パネル３を収納する第１保持部材である第１見切り部材４、第２液晶表示パネル５を収納する第２保持部材である第２見切り部材６、スペーサ部材７、回路基板８、電池９を収納するハウジング１０、および基板押え部材１１が配置された構造になっている。以下、各部材について順に説明する。
【００１４】
第１液晶表示パネル３および第２液晶表示パネル５は、それぞれ一対の透明な電極基板間に液晶を封入し、これら一対の電極基板の外面にそれぞれ偏光板を設け、この状態で一対の電極基板間に電圧を印加することにより、それぞれ異なる表示色で時刻などの情報を表示するように構成されている。例えば、第１液晶表示パネル３は青色（または緑色）で情報を表示し、第２液晶表示パネル５は赤色で情報を表示するように構成されている。この場合、第１液晶表示パネル３の１２時側の一端部（図３では右端部）における下面には、接続端子３ａが形成されており、第２液晶表示パネル５の６時側の一端部（図３では左端部）における下面には、接続端子５ａが形成されている。
【００１５】
第１見切り部材４は、合成樹脂からなり、図４に示すように、全体が枠状に形成されている。この第１見切り部材４には、図３および図４に示すように、第１液晶表示パネル３を収納する第１収納部１２が形成されている。この第１収納部１２には、図３に示すように、第１液晶表示パネル３の上面全周に当接する鍔部１３と、第１液晶表示パネル３の全周を囲む側壁部１４とが形成されている。
【００１６】
第２見切り部材６は、第１見切り部材４と同様、合成樹脂からなり、図４に示すように、その外形が第１見切り部材４の外形とほぼ同じ大きさの枠状に形成され、図３に示すように、第１見切り部材４の下側に配置されている。この第２見切り部材６には、図３および図４に示すように、第２液晶表示パネル５を収納する第２収納部１５が形成されている。この第２収納部１５には、第２液晶表示パネル５の上面全周に当接する鍔部１６と、第２液晶表示パネル５の全周を囲む側壁部１７とが形成されている。また、この第２見切り部材６には、後述する第１インターコネクタ２０が挿通するスリット状の挿通孔１８が第１液晶表示パネル３の接続端子３ａに対応して形成されている。
【００１７】
スペーサ部材７は、合成樹脂からなる補強板であり、図３に示すように、その外形が第１、第２見切り部材４、６の各外形とほぼ同じ大きさに形成され、第２見切り部材６の下側に配置されている。このスペーサ部材７は、第２見切り部材６の下面に対応する周辺部が中央部分の肉厚よりも厚く形成されている。この厚く形成された周辺部の１２時側と６時側には、第１、第２インターコネクタ２０、２１が挿通する挿通孔２２、２３が第１、第２液晶表示パネル３、５の各接続端子３ａ、５ａに対応して形成されている。この場合、第１インターコネクタ２０が挿通する挿通孔２２は、その上側に配置された第２見切り部材６の挿通孔１８に対応する。また、このスペーサ部材７の中央部には、図４に示すように、ほぼ四角形状の開口部１９が形成されている。なお、第１、第２インターコネクタ２０、２１は、絶縁性ゴムと導電性ゴムを交互に配列したゼブラタイプの接続部材であり、それぞれ弾性を有する帯板状に形成されている。また、第１インターコネクタ２０は、第２インタコネクタ２１よりも高さ方向に長く形成されている。
【００１８】
回路基板８は、絶縁性を有する平板であり、図３に示すように、その外形が第１、第２見切り部材４、６およびスペーサ部材７の各外形とほぼ同じ大きさに形成され、スペーサ部材７の下側に配置されている。この回路基板８の上面中央には、図３に示すように、ＬＳＩなどの電子部品２４がスペーサ部材７の開口部１９に対応して設けられていると共に、その上面における１２時側と６時側には、それぞれ電極端子８ａ、８ｂが第１、第２液晶表示パネル３、５の各接続端子３ａ、５ａに対応して設けられている。これにより、回路基板８の各電極端子８ａ、８ｂと第１、第２液晶表示パネル３、５の各接続端子３ａ、５ａは、第１、第２インターコネクタ２０、２１によってそれぞれ電気的に接続されている。また、回路基板８の下面には、電極接片２５が設けられている。
【００１９】
ハウジング１０は、合成樹脂からなり、図３に示すように、厚板状に形成され、且つその外形が第１、第２見切り部材４、６、スペーサ部材７、および回路基板８の各外形とほぼ同じ大きさに形成され、回路基板８の下側に配置されている。このハウジング１０の中央部には、電池９を収納する電池収納部２６が下側に開放されて形成されている。この電池収納部２６の上部には、回路基板８の電極接片２５が挿通して電池９に接触する開口部２７が形成されていると共に、この開口部２７の外周側には複数の孔部２８が形成されている。また、この電池収納部２６には、図２に示すように、電池９の下面を押える電池押え板２９が着脱可能に取り付けられている。なお、このハウジング１０の外周部には、図１に示すように、腕時計ケース１の内面に設けられた係止凹部３０に係脱可能に係合する係合突起部３１が形成されている。
【００２０】
基板押え部材１１は、ステンレスなどの金属板からなり、図２および図３に示すように、その外形がハウジング１０の外形よりも少し小さく形成され、その中央部に円形孔１１ａが電池収納部２６と対応して形成され、ハウジング１０の下側に配置されている。この場合、基板押え部材１１の外周部には、図２に示すように、複数の係止片３２がハウジング１０の外周面に沿って上方に折り曲げられている。これら係止片３２は、その中間部に係止孔３２ａが設けられ、これら係止孔３２ａがハウジング１０の外周面に形成された複数のフック部３３にそれぞれ係脱可能に係合することにより、基板押え部材１１をハウジング１０に取り付けると共に、その各先端が回路基板８の外周部の上面に係脱可能に係合し、これにより回路基板８をハウジング１０上に押え付けるように構成されている。
【００２１】
次に、このような電子腕時計を組み立てる場合について説明する。
この場合には、図２および図３に示すように、まず、時計モジュール２を組み立てる。すなわち、ハウジング１０の電池収納部２６内に電池９を収納し、この電池９の下側に電池押え板２９を配置し、この電池押え板２９を電池収納部２６に取り付けて電池９を電池収納部２６に固定する。この状態で、ハウジング１０上に回路基板８を配置する。このときには、回路基板８の下面に設けられた電極接片２５を電池収納部２６の開口部２７に挿入してハウジング１０内の電池９に接触させる。
【００２２】
この後、ハウジング１０の下側に基板押え部材１１を配置し、この基板押え部材１１の各係止片３２の係止孔３２ａをハウジング１０の外周面に設けられた各フック部３３にそれぞれ係合させることにより、基板押え部材１１をハウジング１０に取り付けると共に、各係止片３２の各先端を回路基板８の外周部の上面に係合させることにより、回路基板８をハウジング１０上に押え付けて固定する。この状態では、基板押え部材１１の円形孔１１ａが電池収納部２６に対応しているので、この円形孔１１ａを通して電池押え板２９を電池収納部２６から取り外すことにより、電池９を交換することができる。
【００２３】
次いで、回路基板８上にスペーサ部材７を配置する。このときには、スペーサ部材７の開口部１９に回路基板８の電子部品２４を挿入すると共に、スペーサ部材７の１２時側と６時側の各挿通孔２２、２３を回路基板８の各電極端子８ａ、８ｂに対応させる。この状態で、１２時側の挿通孔２２に第１インターコネクタ２０を上方から挿入し、６時側の挿通孔２３に第２インターコネクタ２１を上方から挿入する。そして、第１、第２インターコネクタ２０、２１の各下端面を回路基板８の１２時側と６時側の各電極端子８ａ、８ｂにそれぞれ弾接させる。このときには、第１インターコネクタ２０が第２インターコネクタ２１よりもスペーサ部材７の上方に高く突出する。
【００２４】
この後、第２見切り部材６の第２収納部１５に第２液晶表示パネル５を収納し、この第２液晶表示パネル５の上面全周に第２収納部１５の鍔部１６を当接させると共に、第２液晶表示パネル５の全周を側壁部１７で囲み、この状態で第２見切り部材６をスペーサ部材７上に配置する。このときには、第２液晶表示パネル５の６時側に設けられた接続端子５ａを第２インターコネクタ２１の上端面に弾接させ、第２液晶表示パネル５の接続端子５ａと回路基板８の６時側に位置する電極端子８ｂとを第２インターコネクタ２１によって電気的に接続する。
【００２５】
また、このときには、第２見切り部材６の１２時側の挿通孔１８をスペーサ部材７の１２時側の挿通孔２２に対応させ、この挿通孔２２に挿入された第１インタコネクタ２０を第２見切り部材６の１２時側の挿通孔１８に挿入させ、第１インタコネクタ２０の上部を第２見切り部材６の上方に突出させる。これにより、第２見切り部材６がスペーサ部材７に対して位置決めされる。また、この状態では、スペーサ部材７の外周部が厚く形成されているので、第２液晶表示パネル５の下面がスペーサ部材７から十分に離れた状態で、第２液晶表示パネル５がスペーサ部材７の上方に配置される。
【００２６】
次いで、第１見切り部材４の第１収納部１２に第１液晶表示パネル３を収納し、この第１液晶表示パネル３の上面全周に第１収納部１２の鍔部１３を当接させると共に、第１液晶表示パネル３の全周を側壁部１４で囲む。この状態で、第１見切り部材４を第２見切り部材６上に配置して重ね合わせる。これにより、第１液晶表示パネル３と第２液晶表示パネル５とが互いに接触することなく、上下に重なり合って配置される。このときには、第１液晶表示パネル３の１２時側に設けられた接続端子３ａを第１インターコネクタ２０の上端面に弾接させる。これにより、第１液晶表示パネル３の接続端子３ａと回路基板８の１２時側に位置する電極端子８ａとが第１インターコネクタ２０によって電気的に接続される。これにより、時計モジュール２が組み立てられる。
【００２７】
最後に、この時計モジュール２を図１に示すように腕時計ケース１内にその下側から挿入して収納する。このときには、第１見切り部材４の上部外周を腕時計ケース１の内周面の上部に設けられた鍔状突起部１ｂに当接させ、この状態でハウジング１０の外周部に設けられた係合突起部３１を腕時計ケース１の内面に設けられた係止凹部３０に係合させる。これにより、時計ジュール２の全ての部材、つまり第１液晶表示パネル３が収納された第１見切り部材４、第２液晶表示パネル５が収納された第２見切り部材６、第１、第２インターコネクタ２０、２１が取り付けられたスペーサ部材７、回路基板８、ハウジング１０、および基板押え部材１１が腕時計ケース１内に固定される。
【００２８】
このように、この電子腕時計によれば、第１見切り部材４の第１収納部１２に第１液晶表示パネル３を収納し、第２見切り部材６の第２収納部１５に第２液晶表示パネル５を収納し、この第２見切り部材６を第１見切り部材４の下側に配置することにより、第１、第２液晶表示パネル３、５を上下に重ね合わせて配置することができるので、従来例のように削り屑などの異物が発生せず、しかも削り屑などの異物を第１、第２液晶表示パネル３、５間に介在させずに、簡単に第１、第２液晶表示パネル３、５を重ね合わせることができる。このため、この状態で第１、第２液晶表示パネル３、５を駆動して時刻などの情報をそれぞれ表示させると、例えば第１液晶表示パネル３が青色（または緑色）で表示され、第２液晶表示パネル５が赤色で表示されるので、これらの表示色の組み合わせにより、青（または緑）、赤、黒の３色のカラー表示が得られる。
【００２９】
また、この電子腕時計では、第１見切り部材４の第１収納部１２に収納された第１液晶表示パネル３の上面全周が第１収納部１２の鍔部１３に当接し、且つ第１液晶表示パネル３の全周が第１収納部１２の側壁部１４に囲まれており、また第２見切り部材６の第２収納部１５内に収納された第２液晶表示パネル５の上面全周が第２収納部１５の鍔部１６に当接し、且つ第２液晶表示パネル５の全周が第２収納部１５の側壁部１７に囲まれているので、腕時計ケース１が外部からの衝撃を受けても、第１、第２液晶表示パネル３、５が位置ずれを起したり撓んだりせずに確実に保持することができ、これにより第１、第２液晶表示パネル３、５同士がぶつかり合って互いに傷付かないようにすることができる。
【００３０】
この場合、第２見切り部材６に設けられた挿通孔１８およびスペーサ部材７の挿通孔２２に挿入された第１インターコネクタ２０によって、第１液晶表示パネル３が弾力的に保持されるので、これによっても衝撃による第１液晶表示パネル３のガタツキを防ぐことができると共に、スペーサ部材７の挿通孔２３に挿入された第２インターコネクタ２１によって、第２液晶表示パネル５が弾力的に保持されているので、衝撃による第２液晶表示パネル５のガタツキを防ぐことができる。
【００３１】
また、この時計モジュール２では、ハウジング１０上に回路基板８を介してスペーサ部材７が配置され、このスペーサ部材７の外周部が肉厚に形成されているので、ハウジング１０の中央部に形成された電池収納部２６の上部の肉厚が薄くても、衝撃による電池９のストレスが回路基板８の中央部に集中せず、そのストレスをスペーサ部材７により外周側の全周に分散することができ、この分散されたストレスを第２見切り部材６および第１見切り部材４で受けとめることができ、これにより回路基板８への負荷を軽減することができると共に、ストレスによる第２液晶表示パネル５の割れなどの破損を防ぐことができる。
【００３２】
また、この電子腕時計では、第１見切り部材４の第１収納部１２に第１液晶表示パネル３を収納し、第２見切り部材６の第２収納部１５に第２液晶表示パネル５を収納し、この第２見切り部材６を第１見切り部材４の下側に配置して重ね合わせる構造であるから、例えば図５または図６に示すように、第１、第２液晶表示パネル３、５のいずれか一方のみを用いる場合にも同じ構造で兼用することができる。
すなわち、図５に示したように、第２液晶表示パネル５のみを用いる場合には、第２液晶表示パネル５を収納した第２見切り部材６上から第１液晶表示パネル３を収納した第１見切り部材４を取り外すると共に、第２見切り部材６の挿通孔１８から第１インターコネクタ２０を取り外すだけで良い。
【００３３】
また、図６に示したように、第１液晶表示パネル３のみを用いる場合には、スペーサ部材７上から第２液晶表示パネル５を収納した第２見切り部材６を取り外すと共に、このスペーサ部材７の６時側の挿入孔２３から第２インターコネクタ２１を取り外し、この取り外した第２インターコネクタ２１をスペーサ部材７の１２時側の挿入孔２２に挿入し、この状態で第１液晶表示パネル３を収納した第１見切り部材４をスペーサ部材７上に配置して重ね合わせれば良い。この場合には、第２インターコネクタ２１によって第１液晶表示パネル３の電極端子３ａと回路基板８の電極端子８ａとが電気的に接続される。
【００３４】
なお、上記実施形態では、電子腕時計に適用した場合について述べたが、これに限らず、例えばトラベルウオッチや置き時計、目覚まし時計、掛け時計などの時計にも適用することができるほか、電卓や電子手帳、電子辞書、または携帯電話機などの電子機器にも広く適用することができる。
【００３５】
【発明の効果】
以上説明したように、この発明によれば、第１保持部材の第１収納部に第１表示パネルを収納し、第２保持部材の第２収納部に第２表示パネルを収納し、この第２保持部材を第１保持部材の下側に配置することにより、第１、第２表示パネルを上下に重ね合わせて配置することができるので、従来例のように、第１、第２表示パネル間に削り屑などの異物を介在させずに、簡単に第１、第２表示パネルを重ね合わせることができる。また、第１、第２保持部材の第１、第２収納部内にそれぞれ収納された第１、第２表示パネルの上面全周が第１、第２収納部の鍔部に当接し、且つ第１、第２表示パネルの全周が側壁部で囲まれた状態で、第１、第２表示パネルが第１、第２保持部材に保持されているので、外部からの衝撃を受けても、第１、第２表示パネルが位置ずれを起したり撓んだりせず、このため第１、第２表示パネル同士がぶつかり合って互いに傷が付くことがない。特に、第２保持部材の挿通部に挿入された第１インターコネクタによって第１表示パネルが保持されるので、これによっても第１、第２表示パネル同士がぶつかり合って互いに傷付くのを防ぐことができる。
【図面の簡単な説明】
【図１】この発明を電子腕時計に適用した一実施形態を示した拡大断面図。
【図２】図１の時計モジュールを拡大した斜視図。
【図３】図２の拡大断面図。
【図４】図３の分解斜視図。
【図５】図３の時計モジュールにおいて第２液晶表示パネルのみを用いた場合の拡大断面図。
【図６】図３の時計モジュールにおいて第１液晶表示パネルのみを用いた場合の拡大断面図。
【符号の説明】
１  腕時計ケース
２  時計モジュール
３  第１液晶表示パネル
３ａ  接続端子
４  第１見切り部材
５  第２液晶表示パネル
５ａ  接続端子
６  第２見切り部材
７  スペーサ部材
８  回路基板
８ａ、８ｂ  電極端子
９  電池
１０  ハウジング
１２  第１収納部
１３、１６  鍔部
１４、１７  側壁部
１５  第２収納部
１８、２２、２３  挿通孔
２０  第１インターコネクタ
２１  第２インターコネクタ
２６  電池収納部
【図１】
0003767455.tif 000002
【図２】
0003767455.tif 000003
【図３】
0003767455.tif 000004
【図４】
0003767455.tif 000005
【図５】
0003767455.tif 000006
【図６】
0003767455.tif 000007